(57)【要約】      （修正有）【課題】設置、移動が簡単に出来るものであり尚且つ従来の足湯には見られない複数ヶ所から出るジェット噴流により足にマッサージが出来るジェット付き足湯ユニットを提供する。【解決手段】本ジェット付き足湯ユニットは、ポリエチレン製の浴槽を桧等の木材で化粧囲いし、その化粧囲いの中に本足湯を維持する為の設備であるポンプ・昇温用ヒーター・温度調節器・塩素滅菌装置付きろ過フィルター等がすべて内蔵されたユニット式になったもので設置、移動が簡単に出来ようにしたものである。また複数ヶ所から出るジェットにより足にマッサージが出来る足湯ユニットを提供する。【選択図】図１
0003112281.tif 000002
【実用新案登録請求の範囲】
【請求項１】
（イ）足湯浴槽内の浴槽水をポンプにて吸い込み、吸い込まれた浴槽水を電気ヒーターを通過させ昇温した後、浴槽内に取り付けた複数のジェットノズルから同浴槽内に噴射返送されるようになしたジェット付き足湯ユニット。
（ロ）ポンプ吸込み側配管に取り付けた温度センサーと制御盤内に取り付けた温度調節器により設定温度に対して電気ヒーターの電源の入り切りを行い同浴槽内の温度調節をする機能を有する。
（ハ）前記足湯浴槽と、前記ポンプ・電気ヒーター・温度センサーと制御盤を同一木製架台の上に設置、配管・配線し、架台側面及び天井部分を木枠及び板で囲い一体化させたもの。以上のように構成したことを特徴とするジェット付き足湯ユニット。
【請求項２】
足湯浴槽内の浴槽水の汚れ・滅菌対策として塩素滅菌装置付きろ過フィルターをポンプ出側配管に取り付けてあることを特徴とする請求項１記載のジェット付き足湯ユニット。
【請求項３】
足湯浴槽内に浴槽水を注入せずにポンプ・電気ヒーターの運転スイッチを入れてしまう空転を防ぐ為、足湯浴槽内より配管で取り出し立ち上げた連通管に水位監視用電極を取り付け、一定水位まで浴槽水が張込まれないとポンプ・電気ヒーターの運転が開始しないようにすることを特徴とするジェット付き足湯ユニット。
【考案の詳細な説明】
【技術分野】
【０００１】本考案は、４人から６人が利用できるポータブル式で、あらかじめ電源及び給排水工事を行なっておけば搬入据付後即使用出来、尚且つ複数箇所からのジェットにより足のマッサージができる足湯に関するものである。
【背景技術】
【０００２】防水された足湯浴槽を木材・石・コンクリート等で造りこの中に３０ｃｍ程度の深さに温泉等を入れ込み、温度を４２〜４３℃程度に保ちそこに足をつけるようにしたもの。また床面に凹凸がありこれを踏むことにより指圧効果があると言ったタイプのものもある。
【考案の開示】
【考案が解決しようとする課題】
【０００３】上述する従来の足湯は、防水された槽を造る躯体工事及び温泉等を入れ込み適温に保つ為の設備工事を伴い、設置まである程度の工事期間が必要であり工事費用に関しても割高である。また一旦設置したら設置場所の変更は非常に難しくなる。本考案の第一の目的は、ポリエチレン製の浴槽を桧等の木材で化粧囲いし、その化粧囲いの中に本足湯を維持する為の設備であるジェットポンプ・昇温用ヒーター・温度調節器・ろ過フィルター・滅菌装置等がすべて内蔵されたユニット式になったものである為設置、移動が簡単に出来るものであり、第二の目的は複数ヶ所から出るジェットにより足にマッサージが出来るジェット付き足湯ユニットを提供しようとするものである。
【課題を解決するための手段】
【０００４】請求項１に係わる考案は、第一及び第二の目的を達成するジェット付き足湯ユニットに関するもので、第一の目的を達成する為に、ポリエチレン製の浴槽を桧等の木材で化粧囲いし、その化粧囲いの中に本足湯を維持する為の設備であるポンプ・電気ヒーター・温度調節器・塩素滅菌装置付きろ過フィルター等がすべて内蔵されたユニット式になったもので設置、移動が簡単に出来ようにしたものである。従ってあらかじめ一体製品化されたものである為、電源工事及び給排水工事を除いて設置現場での工事を伴わなくて済み、工期・工事金額の縮小が図れ、設置場所も２×３ｍ程度の設置スペースがあり搬入経路の確保が出来れば概ねどこにでも設置できる。また第二の目的を達成する為に、複数ヶ所から出るジェット噴流により足にマッサージが出来るジェット付き足湯ユニットを提供しようとするものである。請求項２にかかわる考案は、足湯浴槽内の浴槽水の汚れ・滅菌対策として塩素滅菌装置付きろ過フィルターをポンプ出側配管に取り付けてあるもので、不特定多数の利用者に伴う浴槽水の汚れ、雑菌の除去を目的とすることを特徴とする。請求項３にかかわる考案は、人為的な誤操作により足湯浴槽内に浴槽水を注入せずにポンプ・電気ヒーターの運転スイッチを入れてしまう空転を防ぐ為、足湯浴槽内より配管で取り出し立ち上げた連通管に水位監視用電極を取り付け、一定水位まで浴槽水が張込まれないとポンプ・電気ヒーターの運転が開始しないようにしたことを特徴とする。
【考案の効果】
【０００５】請求項１に係わる考案によると、ポリエチレン製の浴槽を桧等の木材で化粧囲いし、その化粧囲いの中に本足湯を維持する為の設備であるポンプ・電気ヒーター・温度調節器・塩素滅菌装置付きろ過フィルター等がすべて内蔵されたユニット式になったもので設置、移動が簡単に出来ようにしたものである。従ってあらかじめ一体製品化されたものである為、電源工事及び給排水工事を除いて設置現場での工事を伴わなくて済み、工期・工事金額の縮小が図れ、設置場所も２×３ｍ程度の設置スペースがあり搬入経路の確保が出来れば概ねどこにでも設置できる。また足湯浴槽内の複数ヶ所から出るジェットにより足にマッサージが出来るジェット付き足湯ユニットを提供しようとするものである。請求項２にかかわる考案によると、足湯浴槽内の浴槽水の汚れ・滅菌対策として塩素滅菌装置付きろ過フィルターをポンプ出側配管に取り付けてあるもので、不特定多数の利用者に伴う浴槽水の汚れ、雑菌の除去を目的とすることを特徴とする。請求項３にかかわる考案は、人為的な誤操作により足湯浴槽内に浴槽水を注入せずにポンプ・電気ヒーターの運転スイッチを入れてしまう空転を防ぐ為、一定水位まで浴槽水が張込まれないとポンプ・電気ヒーターの運転が開始しないようにしたことを特徴とする。
【考案を実施するための最良の形態】
【０００６】図１は、ジェット付き足湯ユニットの外観の平面図・側面図・正面図であって平面図は木製木枠本体１に足湯浴槽本体７が埋め込まれ、足湯浴槽本体７の内壁にはジェットノズル６が取り付けてある。Ａ−Ａ側面図では木枠本体１の一部に制御盤メンテ用扉１５が取り付けてある。Ｂ−Ｂ正面図では木枠本体１の一部にポンプ類メンテ用扉１６が取り付けてある。図２は足湯浴槽及び付帯機器の平面配置図をあらわし、図３はフロー図にてあらわしたものである。足湯浴槽本体７の浴槽水は浴槽吸込み口５より吸込まれ、温度センサー４、ポンプ２を通過し電気ヒーター３に入る。電気ヒーター３は温度センサー４の信号を受けた温度調節器１３の出力により作動するもので温度センサー４の部分の浴槽水温度が設定温度以下の場合は温度調節器１３のＯＮ出力により電気ヒーター３は作動し昇温を開始し、温度センサー４の部分の浴槽水温度が設定温度以上の場合は温度調節器１３のＯＦＦ出力により電気ヒーター３は作動を停止する。浴槽水は電気ヒーター３を通過後、滅菌器付きろ過フィルター９を通過し、ろ過・滅菌される。浴槽水は滅菌器付きろ過フィルター９を通過後配管により枝分かれされ各ジェットノズル６より足湯浴槽内に噴射返送される。また、水位監視電極連通管用穴１１から連通配管し、立上げ配管部の水位が足湯浴槽湯面１７と同水位になるようにし、同立上げ配管上部に水位監視電極１０を取り付け足湯浴槽内の浴槽水が一定水位まで張込まれないとポンプ・電気ヒーターの運転が開始しないようになっている。
【図面の簡単な説明】
【０００７】
【図１】本考案に係わるジェット付き足湯ユニット外観の平面図・側面図・立面図。
【図２】同ジェット付き足湯ユニットの概略平面配置・配管図。
【図３】同ジェット付き足湯ユニットの概略フロー図。
【符号の説明】
【０００８】１  木枠本体
２  ポンプ
３  電気ヒーター
４  温度センサー
５  浴槽水吸込み口
６  ジェットノズル
７  足湯浴槽本体
８  スノコ板張り
９  滅菌器付きろ過フィルター
１０  水位監視電極
１１  水位監視電極連通管用穴
１２  制御盤
１３  温度調節器
１４  運転スイッチ
１５  制御盤メンテ用扉
１６  ポンプ類メンテ用扉
１７  足湯浴槽湯面
１８  排水用共栓
【図１】
0003112281.tif 000003
【図２】
0003112281.tif 000004
【図３】
0003112281.tif 000005